(57)【要約】【課題】  コンパクトで、しかも耐電力を向上させることができる弾性表面波フィルタを用いた分波器を提供する。【解決手段】  通過帯域の異なる送信用フィルタ及び受信用フィルタを有するＳＡＷ分波器において、前記送信用フィルタは梯子型に接続された弾性表面波共振器で構成され、前記受信用フィルタは第１の縦結合二重モードフィルタと第２の縦結合二重モードフィルタとが縦続接続して構成され、前記第１の縦結合二重モードフィルタは、一端側に第１の端子を備え、他端側に第２および第３の端子を備え、前記第２の縦結合二重モードフィルタは、一端側に第４の端子を備え、他端側に第５および第６の端子を備え、前記第２の端子、前記第３の端子、前記第５の端子、および前記第６の端子は配線により共通接続されていることを特徴とする。【選択図】    図１
2007189746.tif 000002
【特許請求の範囲】
【請求項１】
通過帯域の異なる送信用フィルタ及び受信用フィルタを有するＳＡＷ分波器において、
前記送信用フィルタは梯子型に接続された弾性表面波共振器で構成され、
前記受信用フィルタは第１の縦結合二重モードフィルタと第２の縦結合二重モードフィルタとが縦続接続して構成され、
前記第１の縦結合二重モードフィルタは、一端側に第１の端子を備え、他端側に第２および第３の端子を備え、
前記第２の縦結合二重モードフィルタは、一端側に第４の端子を備え、他端側に第５および第６の端子を備え、
前記第２の端子、前記第３の端子、前記第５の端子、および前記第６の端子は配線により共通接続されていることを特徴とする分波器。
【請求項２】
前記第１の縦結合二重モードフィルタと前記第２の縦結合二重モードフィルタとは、前記第１の縦結合二重モードフィルタの前記他端側と前記第２の縦結合二重モードフィルタの前記他端側とが向かい合うように並んで配置されていることを特徴とする請求項１記載の分波器。
【請求項３】
前記第２の端子、前記第３の端子、前記第５の端子、および前記第６の端子を共通接続する前記配線は、前記第２の端子と前記第５の端子とを接続する第１の配線部と、前記第３の端子と前記第６の端子とを接続する第２の配線部と、前記第１の配線部と前記第２の配線部とを接続する第３の配線部とを備え、
前記第１および第２の配線部は、前記第１および第２の縦結合二重モードフィルタが並んで配置される第１の方向に延在し、
前記第３の配線部は前記第１の方向と直交する第２の方向に延在していることを特徴とする請求項２記載の分波器。
【請求項４】
通過帯域の異なる送信用フィルタ及び受信用フィルタを有するＳＡＷ分波器において、
前記受信用フィルタは梯子型に接続された弾性表面波共振器で構成され、
前記送信用フィルタは第１の縦結合二重モードフィルタと第２の縦結合二重モードフィルタとが縦続接続されて構成され、
前記第１の縦結合二重モードフィルタは、一端側に第１の端子を備え、他端側に第２および第３の端子を備え、
前記第２の縦結合二重モードフィルタは、一端側に第４の端子を備え、他端側に第５および第６の端子を備え、
前記第２の端子、前記第３の端子、前記第５の端子、および前記第６の端子は配線により共通接続されていることを特徴とする分波器。
【請求項５】
前記第１の縦結合二重モードフィルタと前記第２の縦結合二重モードフィルタとは、前記第１の縦結合二重モードフィルタの前記他端側と前記第２の縦結合二重モードフィルタの前記他端側とが向かい合うように並んで配置されていることを特徴とする請求項４記載の分波器。
【請求項６】
前記第２の端子、前記第３の端子、前記第５の端子、および前記第６の端子を共通接続する前記配線は、前記第２の端子と前記第５の端子とを接続する第１の配線部と、前記第３の端子と前記第６の端子とを接続する第２の配線部と、前記第１の配線部と前記第２の配線部とを接続する第３の配線部とを備え、
前記第１および第２の配線部は、前記第１および第２の縦結合二重モードフィルタが並んで配置される第１の方向に延在し、
前記第３の配線部は前記第１の方向と直交する第２の方向に沿って延在していることを特徴とする請求項５記載の分波器。
【発明の詳細な説明】
【技術分野】
【０００１】
本発明は、移動体通信用機器、特に携帯電話等の無線部に用いられる弾性表面波フィルタを用いた分波器に関するものである。
【背景技術】
【０００２】
従来、このような分野の技術としては、例えば、特開平１０−２５６８６９号公報  『分波器における送信用ＳＡＷフィルタの構造』（下記特許文献１）に開示されるものがあった。
【０００３】
図１０は従来の弾性表面波フィルタを用いた分波器の構成図である。
【０００４】
この図に示すように、ＡＮＴ端１、接地ＧA ２、Ｔｘ（送信）端３、接地ＧT ４、Ｒｘ（受信）端５、接地ＧR ６、アンテナ側整合回路７、送信側分波回路８、送信側ＳＡＷ共振器型フィルタ９、送信側整合回路１０、受信側分波回路１１、受信側ＳＡＷ共振器型フィルタ１２、受信側整合回路１３で構成され、小型で通過帯域の挿入損失が小さいこと、お互いの通過帯域に対する減衰が大きいこと等の特性が要求されている。
【０００５】
図１１は一般の弾性表面波共振器を用いた分波器を含むＲＦ部の構成図である。
【０００６】
この図において、１４はアンテナ、１５は分波器、１６はアンプ、１７は受信側ＳＡＷフィルタ、１８はパワーアンプ、１９は送信側ＳＡＷフィルタである。
【０００７】
図１２は従来の弾性表面波共振器を用いた梯子型の６段構成の受信用フィルタの構成図である。
【０００８】
この図において、２１は受信用フィルタの入力端子、２２はこの受信用フィルタの出力端子、２３は入力端子２１に接続される第１の弾性表面波共振器、２４は入力端子２１に接続されるとともに、その出力端子が接地される第２の弾性表面波共振器、２５は第１の弾性表面波共振器２３の出力端子に接続されるとともに、その出力端子が接地される第３の弾性表面波共振器、２６は第１の弾性表面波共振器２３の出力端子に直列に接続される第４の弾性表面波共振器、２７は第４の弾性表面波共振器２６の出力端子に接続されるとともに、その出力端子が接地される第５の弾性表面波共振器、２８は第４の弾性表面波共振器２６の出力端子に直列に接続され、その出力がこの受信用フィルタの出力端子２２に接続される第６の弾性表面波共振器、２９は第６の弾性表面波共振器２８の出力端子に接続されるとともに、その出力端子が接地される第７の弾性表面波共振器である。
【特許文献１】特開平１０−２５６８６９号公報
【発明の開示】
【発明が解決しようとする課題】
【０００９】
現在まで、分波器の部品用途は携帯電話端末用に用いられる誘電体フィルタと、カード端末用に用いられるＳＡＷ分波器といったように、大きく２種類に分けられていた。しかしながら、近年の携帯電話の普及と共に装置自体の小型化が消費者のニーズであり、自ずと装置内の高周波部品にも小型化の波が押し寄せてきている。その為、携帯電話端末用にも誘電体フィルタに代わってＳＡＷ分波器が使用されるようになってきた。
【００１０】
上記のようなこともあって、ＳＡＷ分波器に対する装置要求規格が誘電体フィルタと同等規格となる一方、その携帯電話への利用に対しては、かつ、カード端末への利用より耐電力特性が重要視される携帯電話端末の規格を満足することは厳しく、特に受信フィルタの近傍減衰量（送信フィルタ側の通過帯域）を確保するために、上記した図１２に示す弾性表面波共振器を用いた梯子型回路構成でそれを実現することはチップサイズも大きくなる原因となり、難があった。
【００１１】
また、縦結合二重モードフィルタを用いた回路構成は、受信フィルタの近傍減衰量（送信フィルタ側の通過帯域）を確保することは容易であるが、耐電力に弱いので、そのままＳＡＷ分波器で利用するには問題があった。
【００１２】
本発明は、上記問題点を除去し、コンパクトで、しかも耐電力を向上させることができる弾性表面波フィルタを用いた分波器を提供することを目的とする。
【課題を解決するための手段】
【００１３】
本発明は、上記目的を達成するために、
〔１〕通過帯域の異なる送信用フィルタ及び受信用フィルタを有するＳＡＷ分波器において、前記送信用フィルタは梯子型に接続された弾性表面波共振器で構成され、前記受信用フィルタは第１の縦結合二重モードフィルタと第２の縦結合二重モードフィルタとが縦続接続して構成され、前記第１の縦結合二重モードフィルタは、一端側に第１の端子を備え、他端側に第２および第３の端子を備え、
前記第２の縦結合二重モードフィルタは、一端側に第４の端子を備え、他端側に第５および第６の端子を備え、前記第２の端子、前記第３の端子、前記第５の端子、および前記第６の端子は配線により共通接続されていることを特徴とする。
【００１４】
〔２〕上記〔１〕記載の分波器において、前記第１の縦結合二重モードフィルタと前記第２の縦結合二重モードフィルタとは、前記第１の縦結合二重モードフィルタの前記他端側と前記第２の縦結合二重モードフィルタの前記他端側とが向かい合うように並んで配置されていることを特徴とする。
【００１５】
〔３〕上記〔２〕記載の分波器において、前記第２の端子、前記第３の端子、前記第５の端子、および前記第６の端子を共通接続する前記配線は、前記第２の端子と前記第５の端子とを接続する第１の配線部と、前記第３の端子と前記第６の端子とを接続する第２の配線部と、前記第１の配線部と前記第２の配線部とを接続する第３の配線部とを備え、前記第１および第２の配線部は、前記第１および第２の縦結合二重モードフィルタが並んで配置される第１の方向に延在し、前記第３の配線部は前記第１の方向と直交する第２の方向に延在していることを特徴とする。
【００１６】
〔４〕通過帯域の異なる送信用フィルタ及び受信用フィルタを有するＳＡＷ分波器において、前記受信用フィルタは梯子型に接続された弾性表面波共振器で構成され、前記送信用フィルタは第１の縦結合二重モードフィルタと第２の縦結合二重モードフィルタとが縦続接続されて構成され、前記第１の縦結合二重モードフィルタは、一端側に第１の端子を備え、他端側に第２および第３の端子を備え、前記第２の縦結合二重モードフィルタは、一端側に第４の端子を備え、他端側に第５および第６の端子を備え、前記第２の端子、前記第３の端子、前記第５の端子、および前記第６の端子は配線により共通接続されていることを特徴とする。
【００１７】
〔５〕上記〔４〕記載の分波器において、前記第１の縦結合二重モードフィルタと前記第２の縦結合二重モードフィルタとは、前記第１の縦結合二重モードフィルタの前記他端側と前記第２の縦結合二重モードフィルタの前記他端側とが向かい合うように並んで配置されていることを特徴とする。
【００１８】
〔６〕上記〔５〕記載の分波器において、前記第２の端子、前記第３の端子、前記第５の端子、および前記第６の端子を共通接続する前記配線は、前記第２の端子と前記第５の端子とを接続する第１の配線部と、前記第３の端子と前記第６の端子とを接続する第２の配線部と、前記第１の配線部と前記第２の配線部とを接続する第３の配線部とを備え、前記第１および第２の配線部は、前記第１および第２の縦結合二重モードフィルタが並んで配置される第１の方向に延在し、前記第３の配線部は前記第１の方向と直交する第２の方向に沿って延在していることを特徴とする。
【発明の効果】
【００１９】
本発明によれば、次のような効果を奏することができる。
【００２０】
（Ａ）ＲＦ部の回路構成にあるように、アンテナから見て分波器の次に送信系に接続されているＰＡ（パワーアンプ）からかなりの電力がかかるため、分波器の中のフィルタに耐電力に強い弾性表面波共振器を梯子型に１セクション配することにより、耐電力の向上を図ることができる。
【００２１】
（Ｂ）弾性表面波チップの大きさが、従来の弾性表面波共振器を用いた梯子型の６段構成に比べ、受信フィルタの近傍（送信フィルタ側の通過帯域）における減衰量を改善することができる。なおかつ、弾性表面波共振器を梯子型に１セクション配置し、次段以降は縦結合二重モードフィルタを２段従属接続したパターン配置としたので、パターン設計に自由度が増し、チップサイズも小さくなり、製造コストも抑えることができる。
【００２２】
（Ｃ）送信用フィルタを縦結合二重モードフィルタで構成する場合には、高調波特性の向上を図ることができる。
【発明を実施するための最良の形態】
【００２３】
本発明の分波器は、通過帯域の異なる送信用フィルタ及び受信用フィルタを有するＳＡＷ分波器において、前記送信用フィルタは梯子型に接続された弾性表面波共振器で構成され、前記受信用フィルタは第１の縦結合二重モードフィルタと第２の縦結合二重モードフィルタとが縦続接続して構成され、前記第１の縦結合二重モードフィルタは、一端側に第１の端子を備え、他端側に第２および第３の端子を備え、前記第２の縦結合二重モードフィルタは、一端側に第４の端子を備え、他端側に第５および第６の端子を備え、前記第２の端子、前記第３の端子、前記第５の端子、および前記第６の端子は配線により共通接続されている。
【実施例】
【００２４】
以下、本発明の実施の形態について詳細に説明する。
【００２５】
図１は本発明の第１実施例を示す並列に弾性表面波共振器と、直列に弾性表面波共振器を１つずつと、縦結合二重モードフィルタを組み合わせた受信用フィルタを示す図である。
【００２６】
この図において、１０１はこの受信用フィルタの入力端子、１０２はこの受信用フィルタの出力端子、１０３は入力端子１０１に接続されるとともに、その出力端子が接地される第１の弾性表面波共振器、１０４は入力端子１０１に直列に接続される第２の弾性表面波共振器、１０５は第２の弾性表面波共振器１０４の出力端子に接続される縦結合二重モードフィルタである。
【００２７】
このように、第１実施例によれば、図１０に示した弾性表面波フィルタを用いた分波器の構成の受信系において、従来は受信用フィルタを弾性表面波共振器で構成していたが、近傍減衰量（送信フィルタ側の通過帯域）規格の改善及び、高調波を十分確保するために、本実施例では縦結合二重モードフィルタ構造とし、受信用フィルタの前段に、図１に示すように、並列に第１の弾性表面波共振器１０３と、直列に第２の弾性表面波共振器１０４を１つずつ配置する。
【００２８】
図２は本発明の第２実施例を示す直列に第１の弾性表面波共振器と、並列に第２の弾性表面波共振器を１つずつと縦結合二重モードフィルタを組み合わせた受信用フィルタを示す図である。
【００２９】
この図において、２０１はこの受信用フィルタの入力端子、２０２はこの受信用フィルタの出力端子、２０３は入力端子２０１に直列に接続される第１の弾性表面波共振器、２０４は第１の弾性表面波共振器２０３の出力端子に接続されるとともに、その出力端子が接地される第２の弾性表面波共振器、２０５は第１の弾性表面波共振器２０３の出力端子に接続される縦結合二重モードフィルタである。
【００３０】
このように、第２実施例によれば、図１０に示した弾性表面波フィルタを用いた分波器の構成の受信系において、受信用フィルタを従来は弾性表面波共振器で構成していたが、近傍減衰量（送信フィルタ側の通過帯域）規格の改善及び、高調波を十分確保するために、縦結合二重モードフィルタ構造とし、受信用フィルタの前段に、図２に示したように、直列に弾性表面波共振器２０３と、並列に第２の弾性表面波共振器２０４を１つずつ配置する。
【００３１】
図３は本発明の第３実施例を示す直列に弾性表面波共振器１つと、縦結合二重モードフィルタを組み合わせた受信用フィルタを示す図である。
【００３２】
この図において、３０１はこの受信用フィルタの入力端子、３０２はこの受信用フィルタの出力端子、３０３は入力端子３０１に直列に接続される弾性表面波共振器、３０４は弾性表面波共振器３０３の出力端子に接続される縦結合二重モードフィルタである。
【００３３】
このように、第３実施例によれば、図１０に示した弾性表面波フィルタを用いた分波器の構成の受信系において、受信用フィルタを従来は弾性表面波共振器で構成していたが、近傍減衰量（送信フィルタ側の通過帯域）規格の改善及び、高調波を十分確保するために、縦結合二重モードフィルタ構造とし、受信用フィルタの前段に、図３に示すように、直列に弾性表面波共振器３０３を１つ配置する。
【００３４】
以下、本発明の動作について説明する。
【００３５】
一般に分波器を含めた無線（ＲＦ）部の回路構成は、前述した図１１に示すようになっている。ここで、ＲＦ部の信号の流れは受信系に関しては、アンテナ１４で受けた電波を分波器１５で分波させ、受信系側のアンプ１６で増幅し、受信側ＳＡＷフィルタ１７へ至り、次の部品（図示なし）へと信号が流れていく。
【００３６】
送信系に関しては、部品（図示なし）から送信側ＳＡＷフィルタ１９へと信号が流れ、パワーアンプ１８で増幅され、分波器１５を介してアンテナ１４から電波が発信されていく。
【００３７】
上記したように、分波器１５には、アンテナ１４からみて分波器１５の次に送信系に接続されているＰＡ（パワーアンプ）１８から、かなりの電力がかかる。そのため、分波器１５の中の送信フィルタは勿論のこと、一部受信フィルタにも回り込みが発生する。そこで、本発明では、ＲＦ部の回路構成にあるように、アンテナ１４から見て分波器１５の次に送信系に接続されているＰＡ（パワーアンプ）１８からかなりの電力がかかるため、分波器の中の送信フィルタ出力段に耐電力に強い弾性表面波共振器を梯子型に１セクション配し、入力段側は縦結合二重モードフィルタを縦属接続する。
【００３８】
このように構成したので、この実施例によれば、弾性表面波チップの大きさが従来の図１２に示した弾性表面波共振器を用いた梯子型の６段構成に比べ、受信フィルタの近傍（送信フィルタ側の通過帯域）における減衰量を改善することができ、なおかつ弾性表面波共振器を梯子型に１セクション配し、次段以降は縦結合二重モードフィルタを２段従属接続したパターン配置であるので、パターン設計に自由度が増し、チップサイズも小さくなり製造コストも抑えることができる。
【００３９】
更に、以下のような実施例を展開することができる。
【００４０】
図４は本発明の第４実施例を示す縦結合二重モードフィルタ２段と直列に弾性表面波共振器と、並列に弾性表面波共振器を１つずつを組み合わせた送信用フィルタを示す図である。
【００４１】
この図に示すように、この実施例の送信用フィルタは、送信用フィルタの入力端子４０１、送信用フィルタの出力端子４０２、入力端子４０１に直列に接続される２段の縦結合二重モードフィルタ４０３、その２段の縦結合二重モードフィルタ４０３の出力端子に直列に接続される弾性表面波共振器４０４と、その弾性表面波共振器４０４の出力端子に並列に接続される弾性表面波共振器４０５から構成されている。
【００４２】
図５は本発明の第５実施例を示す縦結合二重モードフィルタ２段と並列に弾性表面波共振器と、直列に弾性表面波共振器を１つずつを組み合わせた送信用フィルタを示す図である。
【００４３】
この図に示すように、この実施例の送信用フィルタは、送信用フィルタの入力端子５０１、送信用フィルタの出力端子５０２、入力端子５０１に直列に接続される２段の縦結合二重モードフィルタ５０３、その２段の縦結合二重モードフィルタ５０３の出力端子に並列に接続される弾性表面波共振器５０４、その２段の縦結合二重モードフィルタ５０３の出力端子に直列に接続される弾性表面波共振器５０５から構成されている。
【００４４】
図６は本発明の第６実施例を示す並列に弾性表面波共振器と、直列に弾性表面波共振器を１つずつと縦結合二重モードフィルタ１段と直列に弾性表面波共振器と、並列に弾性表面波共振器を組み合わせた送信及び受信用フィルタを示す図である。
【００４５】
この図に示すように、この実施例の送信及び受信用フィルタは、送信及び受信用フィルタの入力端子６０１、送信及び受信用フィルタの出力端子６０２、入力端子６０１に並列に接続される弾性表面波共振器６０３、入力端子６０１に直列に接続される弾性表面波共振器６０４、弾性表面波共振器６０４の出力端子に接続される１段の縦結合二重モードフィルタ６０５、その１段の縦結合二重モードフィルタ６０５の出力端子に直列に接続される弾性表面波共振器６０６、弾性表面波共振器６０６の出力端子に並列に接続される弾性表面波共振器６０７から構成されている。
【００４６】
図７は本発明の第７実施例を示す並列に弾性表面波共振器と、直列に弾性表面波共振器を１つずつと縦結合二重モードフィルタ１段と並列に弾性表面波共振器と、直列に弾性表面波共振器を組み合わせた送信及び受信用フィルタを示す図である。
【００４７】
この図に示すように、この実施例の送信及び受信用フィルタは、送信及び受信用フィルタの入力端子７０１、送信及び受信用フィルタの出力端子７０２、入力端子７０１に直列に接続される弾性表面波共振器７０４、並列に接続される弾性表面波共振器７０３、弾性表面波共振器７０４の出力端子に接続される１段の縦結合二重モードフィルタ７０５、その１段の縦結合二重モードフィルタ７０５の出力端子に並列に接続される弾性表面波共振器７０６、その１段の縦結合二重モードフィルタ７０５の出力端子に直列に接続される弾性表面波共振器７０７から構成している。
【００４８】
図８は本発明の第８実施例を示す直列に弾性表面波共振器と、並列に弾性表面波共振器を１つずつと縦結合二重モードフィルタ１段と並列に弾性表面波共振器と、直列に弾性表面波共振器を組み合わせた送信及び受信用フィルタを示す図である。
【００４９】
この図に示すように、この実施例の送信及び受信用フィルタは、送信及び受信用フィルタの入力端子８０１、送信及び受信用フィルタの出力端子８０２、入力端子８０１に直列に接続される弾性表面波共振器８０３、その弾性表面波共振器８０３の出力端子に並列に接続される弾性表面波共振器８０４、弾性表面波共振器８０３の出力端子に直列に接続される１段の縦結合二重モードフィルタ８０５、その１段の縦結合二重モードフィルタ８０５の出力端子に並列に接続される弾性表面波共振器８０６、その１段の縦結合二重モードフィルタ８０５の出力端子に直列に接続される弾性表面波共振器８０７から構成されている。
【００５０】
図９は本発明の第９実施例を示す直列に弾性表面波共振器と、並列に弾性表面波共振器を１つずつと縦結合二重モードフィルタ１段と直列に弾性表面波共振器と、並列に弾性表面波共振器を組み合わせた送信及び受信用フィルタを示す図である。
【００５１】
この図に示すように、この実施例の送信及び受信用フィルタは、送信及び受信用フィルタの入力端子９０１、送信及び受信用フィルタの出力端子９０２、入力端子９０１に直列に接続される弾性表面波共振器９０３、その弾性表面波共振器９０３の出力端子に並列に接続される弾性表面波共振器９０４、その弾性表面波共振器９０３の出力端子に直列に接続される１段の縦結合二重モードフィルタ９０５、その１段の縦結合二重モードフィルタ９０５の出力端子に直列に接続される弾性表面波共振器９０６、その弾性表面波共振器９０６に並列に接続される弾性表面波共振器９０７から構成されている。
【００５２】
なお、図６〜図９に関しては受信側における構成を適宜送信側に適用できることは言うまでもない。
【００５３】
また、送信側と受信側との複合構造にすることができることも言うまでもない。
【００５４】
なお、本発明は上記実施例に限定されるものではなく、本発明の趣旨に基づき種々の変形が可能であり、これらを本発明の範囲から排除するものではない。
【産業上の利用可能性】
【００５５】
本発明の分波器は、コンパクトで、しかも耐電力の向上を図ることができる分波器として利用可能である。
【図面の簡単な説明】
【００５６】
【図１】本発明の第１実施例を示す並列に弾性表面波共振器と直列に弾性表面波共振器を１つずつと縦結合二重モードフィルタを組み合わせた受信用フィルタを示す図である。
【図２】本発明の第２実施例を示す直列に第１の弾性表面波共振器と並列に第２の弾性表面波共振器を１つずつと縦結合二重モードフィルタを組み合わせた受信用フィルタを示す図である。
【図３】本発明の第３実施例を示す直列に弾性表面波共振器１つと縦結合二重モードフィルタを組み合わせた受信用フィルタを示す図である。
【図４】本発明の第４実施例を示す縦結合二重モードフィルタ２段と直列に弾性表面波共振器と、並列に弾性表面波共振器を１つずつを組み合わせた送信用フィルタを示す図である。
【図５】本発明の第５実施例を示す縦結合二重モードフィルタ２段と並列に弾性表面波共振器と、直列に弾性表面波共振器を１つずつを組み合わせた送信用フィルタを示す図である。
【図６】本発明の第６実施例を示す並列に弾性表面波共振器と、直列に弾性表面波共振器を１つずつと縦結合二重モードフィルタ１段と直列に弾性表面波共振器と、並列に弾性表面波共振器を組み合わせた送信及び受信用フィルタを示す図である。
【図７】本発明の第７実施例を示す並列に弾性表面波共振器と、直列に弾性表面波共振器を１つずつと縦結合二重モードフィルタ１段と並列に弾性表面波共振器と、直列に弾性表面波共振器を組み合わせた送信及び受信用フィルタを示す図である。
【図８】本発明の第８実施例を示す直列に弾性表面波共振器と、並列に弾性表面波共振器を１つずつと縦結合二重モードフィルタ１段と並列に弾性表面波共振器と、直列に弾性表面波共振器を組み合わせた送信及び受信用フィルタを示す図である。
【図９】本発明の第９実施例を示す直列に弾性表面波共振器と、並列に弾性表面波共振器を１つずつと縦結合二重モードフィルタ１段と直列に弾性表面波共振器と、並列に弾性表面波共振器を組み合わせた送信及び受信用フィルタを示す図である。
【図１０】従来の弾性表面波フィルタを用いた分波器の構成図である。
【図１１】一般の弾性表面波共振器を用いた分波器のＲＦ部の構成図である。
【図１２】従来の弾性表面波共振器を用いた梯子型の６段構成の受信用フィルタの構成図である。
【符号の説明】
【００５７】
１４    アンテナ
１５    分波器
１６    受信系側のアンプ
１７    受信側ＳＡＷフィルタ
１８    パワーアンプ
１９    送信側ＳＡＷフィルタ
１０１，２０１，３０１    受信用フィルタの入力端子
１０２，２０２，３０２    受信用フィルタの出力端子
１０３，２０３    第１の弾性表面波共振器
１０４，２０４    第２の弾性表面波共振器
１０５，２０５，３０４，４０３，５０３，６０５，７０５，８０５，９０５    縦結合二重モードフィルタ
３０３，４０４，４０５，５０４，５０５，６０３，６０４，６０６，６０７，７０３，７０４，７０６，７０７，８０３，８０４，８０６，８０７，９０３，９０４，９０６，９０７    弾性表面波共振器
４０１，５０１    送信用フィルタの入力端子
４０２，５０２    送信用フィルタの出力端子
６０１，７０１，８０１，９０１    送信及び受信用フィルタの入力端子
６０２，７０２，８０２，９０２    送信及び受信用フィルタの出力端子
【図１】
2007189746.tif 000003
【図２】
2007189746.tif 000004
【図３】
2007189746.tif 000005
【図４】
2007189746.tif 000006
【図５】
2007189746.tif 000007
【図６】
2007189746.tif 000008
【図７】
2007189746.tif 000009
【図８】
2007189746.tif 000010
【図９】
2007189746.tif 000011
【図１０】
2007189746.tif 000012
【図１１】
2007189746.tif 000013
【図１２】
2007189746.tif 000014